(57)【要約】【課題】効率良く異物を排出できるようにする。【解決手段】入出金部１２は、異物排出部３６に回転検知部５０を設けてプーリ４１の回転を検知し、その回転検知結果を基に紙幣制御部１１において異物排出ベルト４３が正常に走行しているか否か、及びその走行距離を認識する。また紙幣制御部１１は、異物排出処理において、回転検知部５０による回転検知結果を基に異物排出ベルト４３の走行を制御する。これにより紙幣制御部１１は、異物排出ベルト４３の実際の走行状態に応じて、当該異物排出ベルト４３を異物ＦＢの確実な排除に必要な最小限の距離だけ走行させることができ、且つ完了までに要する時間を最小限に抑えることができる。【選択図】図５
2015036932.tif 000002
【特許請求の範囲】
【請求項１】
所定の媒体の落下を防止すると共に前記媒体以外の異物を落下させる選別部と、
前記選別部の下方に配置され前記異物を上面に載置するベルトと、
前記ベルトを走行させて前記異物を所定の排出箇所まで搬送するベルト走行部と、
前記ベルトの走行距離を検知する検知部と、
前記検知部による検知結果を基に、前記ベルトの上面のうち前記排出箇所からの走行距離が最も長い箇所が前記排出箇所へ到達するまでの走行距離である最長走行距離だけ、前記ベルトの上面を前記排出箇所へ向かう排出方向へ走行させる排出動作を行うよう、前記ベルト走行部を制御する制御部と
を具えることを特徴とする異物排出装置。
【請求項２】
前記ベルトは、走行方向に沿って環状に形成され、
前記制御部は、前記排出動作として、前記ベルトの上面を前記排出方向へ半周分以上に相当する過半周距離だけ走行させる
ことを特徴とする請求項１に記載の異物排出装置。
【請求項３】
前記ベルト走行部は、
前記選別部の下方に、互いの回転中心軸を平行に揃えるよう配置され、その周囲に前記ベルトが掛け回された２個以上のローラと、
２個以上の前記ローラのうち少なくとも１個を回転させる回転駆動部と
を具え、
前記検知部は、２個以上の前記ローラのうち少なくとも１個の回転量を検知し、
前記制御部は、前記ローラにおける外周の長さ及び前記ローラの回転量を基に前記ベルトの走行距離を認識する
ことを特徴とする請求項２に記載の異物排出装置。
【請求項４】
前記ベルトの走行により前記排出箇所において前記ベルトの上面から排出された前記異物を導く案内路と、
前記異物が前記案内路へ排出されたことを検知する排出検知部と
をさらに具え、
前記制御部は、
前記排出動作により前記排出検知部により前記異物を検知した場合、最後に前記異物を検知したときから前記過半周距離だけ前記ベルトを走行させるよう制御する
ことを特徴とする請求項２に記載の異物排出装置。
【請求項５】
前記制御部は、前記ベルトの上面を前記排出方向へ走行させるよう制御した際に、前記検知部により前記ベルトが走行していないことを検知した場合、前記ベルトを前記排出方向又はこれと反対の反対方向へ走行させてから停止させる走行停止動作を複数回行った後、前記排出動作を行うよう制御する
ことを特徴とする請求項１に記載の異物排出装置。
【請求項６】
前記制御部は、前記走行停止動作として、前記ベルトを前記排出方向へ走行させてから停止させ、続いて前記ベルトを前記反対方向へ走行させてから停止させる振動動作を複数回行わせる
ことを特徴とする請求項５に記載の異物排出装置。
【請求項７】
前記制御部は、前記走行停止動作として、少なくとも前記ベルトを前記反対方向へ走行させてから停止させる動作を複数回行わせる
ことを特徴とする請求項５に記載の異物排出装置。
【請求項８】
取引対象である媒体を投入させる投入口と、
前記投入口に投入された前記媒体を繰り出して所定の搬送部に受け渡す操出部と、
前記投入口の下方に形成され、前記媒体の落下を防止すると共に前記媒体以外の異物を落下させる選別部と、
前記選別部の下方に配置され前記異物を上面に載置するベルトと、
前記ベルトを走行させて前記異物を所定の排出箇所まで搬送するベルト走行部と、
前記ベルトの走行距離を検知する検知部と、
前記検知部による検知結果を基に、前記ベルトの上面のうち前記排出箇所からの走行距離が最も長い箇所が前記排出箇所へ到達するまでの走行距離である最長走行距離だけ、前記ベルトの上面を前記排出箇所へ向かう排出方向へ走行させる排出動作を行うよう、前記ベルト走行部を制御する制御部と
を具えることを特徴とする媒体取引装置。
【請求項９】
前記制御部は、前記排出動作の終了後に前記操出部による前記媒体を繰り出す動作を開始させる
ことを特徴とする請求項８に記載の媒体取引装置。
【請求項１０】
前記投入口は、開閉可能なシャッタを有し、
前記制御部は、前記投入口の前記シャッタを開放したときから前記排出動作を開始させる
ことを特徴とする請求項８に記載の媒体取引装置。
【発明の詳細な説明】
【技術分野】
【０００１】
本発明は異物排出装置及び媒体取引装置に関し、例えば紙幣のような紙葉状の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う入出金部と、紙幣を搬送する搬送部と、投入された紙幣の金種及び真偽を鑑別する鑑別部と、投入された紙幣を一時的に保留する一時保留部と、金種ごとに紙幣を収納する紙幣カセットと、再使用すべきでない紙幣を収納するリジェクトカセットとを有するものが提案されている。
【０００４】
この現金自動預払機は、入金取引において、顧客が入出金部に紙幣を投入すると、投入された紙幣を１枚ずつに分離して搬送部により搬送し、鑑別部で鑑別し、正常紙幣と鑑別された紙幣を一時保留部へ収納する一方、取引すべきでないと鑑別された紙幣を入出金部へ戻して顧客に返却する。
【０００５】
続いて現金自動預払機は、顧客により入金金額が確定されると、一時保留部に収納している紙幣を繰り出してその金種を鑑別部により再鑑別し、鑑別された金種に応じて各紙幣カセットに収納すると共に、損傷の程度が大きいと鑑別された紙幣をリジェクトカセットに収納する。
【０００６】
また現金自動預払機は、出金処理において、顧客の操作指示により出金すべき金額が確定すると、紙幣カセットから出金すべき金額に応じた紙幣を繰り出して搬送部により搬送し、鑑別部により正常な紙幣が過不足なく繰り出されたことを鑑別した後、入出金部へ搬送して顧客に取り出させる。
【０００７】
ところで入出金部には、入金用の紙幣を投入するための箱型のプール部が設けられているものの、顧客によりプール部に誤って硬貨やクリップ等（以下これらを異物と呼ぶ）が投入される場合がある。このような異物は、紙幣の正常な搬送や搬送を妨げる恐れや、入出金部や搬送部等を損傷させる恐れがある。
【０００８】
そこで、例えば図１３に示す入出金部３１２のように、紙幣ＢＬを収容するプール部３２の底部に異物ＦＢを落下させるための落下孔３２Ｈを穿設し、その下方にこの異物ＦＢを外部に排出するための異物排出部３３６が設けたものがある。
【０００９】
この異物排出部３３６は、図１４に示すように、２個のプーリ４１及び４２の外周を取り巻くように異物排出ベルト４３が掛け渡されている。モータ４４は、その出力軸４４Ｓにプーリ４１が取り付けられており、紙幣制御部３１１（図１３）の制御に基づいて当該プーリ４１を回転させ、異物排出ベルト４３を排出方向Ｔ１又はその反対の反対方向Ｔ２へ走行させる。
【００１０】
異物排出ベルト４３を排出方向Ｔ１へ走行させると、異物排出ベルト４３上に載っていた異物ＦＢは、プーリ４１側に隣接して配置された異物案内部４８に落下する。異物案内部４８は、異物排出ベルト４３から落下した異物ＦＢを現金自動預払機の外部まで滑らせるようにして案内する。またプーリ４１の上方には、異物排出ベルト４３の上面との間に所定の隙間Ｇを形成する堰止部４７が設けられている。
【００１１】
異物排出部３３６では、異物排出ベルト４３上に複数の異物ＦＢが重なって載置される場合がある。このような複数の異物ＦＢが異物排出ベルト４３上から一度に落下した場合、異物案内部４８の途中で詰まってしまう恐れがある。そこで異物排出部３３６は、異物排出ベルト４３上で重なっている異物ＦＢの一部を堰止部４７により堰き止めて異物案内部４８へ一度に落下する異物ＦＢの量を制限し、詰まりの発生を防止するようになされている（例えば、特許文献１参照）。
【先行技術文献】
【特許文献】
【００１２】
【特許文献１】特開２０１３−１２５３０９号公報（図４等）
【発明の概要】
【発明が解決しようとする課題】
【００１３】
しかしながら、かかる構成の異物排出部３３６では、異物排出ベルト４３を排出方向Ｔ１方向へ走行させる際、異物が異物排出ベルト４３と堰止部４７との間に詰まってしまい、異物案内部４８への落下を阻止してしまうと共に、異物排出ベルト４３の走行を妨害してしまう場合がある。
【００１４】
そこで異物排出部３３６のなかには、紙幣制御部３１１の制御により、例えば異物排出ベルト４３を１周分に相当する排出走行時間だけ排出方向Ｔ１へ走行させた後、半周分に相当する反対走行時間だけ反対方向Ｔ２へ走行させる、といった往復動作を繰り返すものがある。これにより異物排出部３３６は、仮に異物ＦＢが異物排出ベルト４３と堰止部４７との間に詰まったとしても、このような異物排出ベルト４３の往復動作により、これを解消することが期待できる。
【００１５】
しかしながらこのような異物排出部３３６では、異物排出ベルト４３上における異物ＦＢの状態に拘わらず往復動作を繰り返していた。すなわち異物排出部３３６は、異物ＦＢの詰まりが発生していなくとも異物排出ベルト４３を反対方向へ走行させており、また往復動作を終了するタイミングによっては、異物排出ベルト４３上の異物を排出できずに残留させてしまう恐れもあるため、総じて異物排出の効率が悪い、という問題があった。
【００１６】
本発明は以上の点を考慮してなされたもので、効率良く異物を排出できる異物排出装置及び媒体取引装置を提案しようとするものである。
【課題を解決するための手段】
【００１７】
かかる課題を解決するため本発明の異物排出装置においては、所定の媒体の落下を防止すると共に媒体以外の異物を落下させる選別部と、選別部の下方に配置され異物を上面に載置するベルトと、ベルトを走行させて異物を所定の排出箇所まで搬送するベルト走行部と、ベルトの走行距離を検知する検知部と、検知部による検知結果を基に、ベルトの上面のうち排出箇所からの走行距離が最も長い箇所が排出箇所へ到達するまでの走行距離である最長走行距離だけ、ベルトの上面を排出箇所へ向かう排出方向へ走行させる排出動作を行うよう、ベルト走行部を制御する制御部とを設けるようにした。
【００１８】
また本発明の媒体取引装置においては、取引対象である紙葉状の媒体を投入させる投入口と、投入口に投入された媒体を繰り出して所定の搬送部に受け渡す操出部と、投入口の下方に形成され、媒体の落下を防止すると共に媒体以外の異物を落下させる選別部と、選別部の下方に配置され異物を上面に載置するベルトと、ベルトを走行させて異物を所定の排出箇所まで搬送するベルト走行部と、ベルトの走行距離を検知する検知部と、検知部による検知結果を基に、ベルトの上面のうち排出箇所からの走行距離が最も長い箇所が排出箇所へ到達するまでの走行距離である最長走行距離だけ、ベルトの上面を排出箇所へ向かう排出方向へ走行させる排出動作を行うよう、ベルト走行部を制御する制御部とを設けるようにした。
【００１９】
これにより、検知部による検知結果から実際のベルトの走行状態を把握することができ、この走行状態から、当該ベルト上に載置された異物を排出するのに必要な最小限の距離だけベルトを走行させることができる。
【発明の効果】
【００２０】
本発明によれば、検知部による検知結果から実際のベルトの走行状態を把握することができ、この走行状態から、当該ベルト上に載置された異物を排出するのに必要な最小限の距離だけベルトを走行させることができる。かくして本発明は、効率良く異物を排出できる異物排出装置及び媒体取引装置を実現できる。
【図面の簡単な説明】
【００２１】
【図１】現金自動預払機の構成を示す略線的斜視図である。
【図２】紙幣入出金機の構成を示す略線図である。
【図３】入出金部の構成を示す略線図である。
【図４】異物排出部の構成を示す略線図である。
【図５】第１の実施の形態による回転検知部の構成を示す略線図である。
【図６】紙幣投入処理手順を示すフローチャートである。
【図７】第１の実施の形態における異物排出処理手順を示すフローチャートである。
【図８】異物の詰まりの発生及び解消を示す略線図である。
【図９】第２の実施の形態による走行検知部の構成を示す略線図である。
【図１０】第２の実施の形態における異物排出処理手順を示すフローチャートである。
【図１１】振動処理手順を示すフローチャートである。
【図１２】他の実施の形態による回転検知部の構成を示す略線図である。
【図１３】従来の入出金部の構成を示す略線図である。
【図１４】従来の異物排出部の構成を示す略線図である。
【発明を実施するための形態】
【００２２】
以下、発明を実施するための形態（以下実施の形態とする）について、図面を用いて説明する。
【００２３】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２４】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に顧客応対部３が設けられている。
【００２５】
顧客応対部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２６】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣ＢＬが排出される部分である。また入出金口５は、後述するシャッタを駆動することにより開放又は閉塞するようになされている。因みに紙幣は、例えば長方形の紙で構成されている。
【００２７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２８】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２９】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。また主制御部９は、内部にＲＡＭ（Random Access Memory）、ハードディスクドライブやフラッシュメモリ等でなる記憶部を有しており、この記憶部に種々の情報を記憶させる。
【００３０】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。また筐体２の前面下方には、入出金口５に誤って投入された異物を排出するための異物排出口２Ｅが設けられている。
【００３１】
紙幣入出金機１０は、図２に側面図を示すように、内部に紙幣に関する種々の処理を行う複数の部分が組み込まれている。また紙幣入出金機１０の各部分は、紙幣制御部１１により制御される。
【００３２】
紙幣制御部１１は、主制御部９と同様、図示しないＣＰＵを中心に構成されており、図示しないＲＯＭやフラッシュメモリ等から所定のプログラムを読み出して実行することにより、入金取引に伴う処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００３３】
紙幣制御部１１は、例えば顧客が紙幣を入金する入金取引を行う場合、操作表示部６（図１）を介して所定の操作入力を受け付けた後、入出金部１２のシャッタ３１を開いてプール部３２に紙幣を投入させる。入出金部１２は、後述する検知部によりプール部３２内に紙幣が１枚以上収容されているか否かを検知し、その検知結果を紙幣制御部１１へ通知する。
【００３４】
この入出金部１２は、プール部３２に紙幣が投入されると、シャッタを閉じて当該プール部３２内から紙幣を１枚ずつ繰り出し、搬送部１３へ受け渡す。搬送部１３は、複数のローラやベルト等により構成されており、長方形の紙葉状に構成された紙幣を短辺方向に沿って進行させ、鑑別部１４へ搬送する。鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００３５】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。その後紙幣制御部１１は、投入された紙幣の合計金額を集計して操作表示部６に表示すると共に、入金取引を継続するか否かを顧客に選択させる。
【００３６】
ここで紙幣制御部１１は、顧客により入金取引の中止が指示された場合、一時保留部１５に保留している全ての紙幣を搬送部１３により入出金部１２へ搬送して顧客に返却する。また紙幣制御部１１は、顧客により入金取引の継続が指示された場合、一時保留部１５に保留している全ての紙幣を搬送部１３により鑑別部１４へ搬送してその金種及び損傷の程度等を鑑別させ、その鑑別結果を取得する。
【００３７】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させる。
【００３８】
また紙幣制御部１１は、例えば顧客が紙幣を出金する出金取引を行う場合、操作表示部６（図１）を介して所定の操作入力を受け付けた後、出金すべき金額に応じた紙幣を紙幣カセット１７から繰り出させ、搬送部１３により鑑別部１４へ搬送させる。続いて紙幣制御部１１は、この紙幣を鑑別部１４により鑑別させた上で、搬送部１３により入出金部１２へ搬送してプール部３２内に集積させ、入出金口５（図１）のシャッタを開いて顧客に取り出させる。
【００３９】
このように入出金部１２は、入金取引において、顧客に紙幣をプール部３２内に投入させ、この紙幣を１枚ずつに分離して搬送部１３に受け渡すようになされている。
【００４０】
［１−２．入出金部の構成］
入出金部１２は、図３に側面図を示すように、筐体３０内に各種部品が組み込まれた構成となっている。筐体３０は、中空の直方体状に形成されており、その上面前寄りには、長手方向を左右に向けた紙幣ＢＬを通過させ得る程度に大きい紙幣入出孔３０Ｈが設けられている。
【００４１】
また筐体３０の上面には、上下に薄い板状のシャッタ３１が設けられている。シャッタ３１は、紙幣制御部１１（図２）の制御に基づき、図示しないシャッタ駆動部によって前後方向へ移動される。シャッタ３１は、前方へ移動したとき（図中破線で示す）には、紙幣入出孔３０Ｈを閉塞して内部を外部から遮蔽し、後方へ移動したとき（図中実線で示す）には、紙幣入出孔３０Ｈを開放してその内部を外部と連通させる。
【００４２】
筐体３０内における前寄りの箇所、すなわち紙幣入出孔３０Ｈの下方には、紙幣ＢＬを収容するプール部３２が設けられている。プール部３２は、前後方向が比較的短く左右方向が比較的長い直方体状の収容空間３２Ｓが内部に形成されると共に、その上面が開放されている。この収容空間３２Ｓには、短辺方向を上下に向けると共に長辺方向を左右に向けた紙葉状の紙幣ＢＬが、複数重ねた状態で収容される。
【００４３】
プール部３２の収容空間３２Ｓは、シャッタ３１が開放されているときに、顧客により紙幣ＢＬが投入されることや、収容されている紙幣ＢＬが顧客により取り出されることが想定されている。
【００４４】
またプール部３２には、紙幣ＢＬの有無を検出する紙幣検知部３２Ｄが設けられている。紙幣検知部３２Ｄは、所定の検知光Ｌ１を発光する発光素子及びこれを受光する受光素子により構成されており、当該検知光Ｌ１が遮光されたか否かに応じて紙幣検知信号を生成し、これを紙幣制御部１１へ送出する。
【００４５】
紙幣制御部１１は、この紙幣検知信号を基に、収容空間３２Ｓ内に１枚以上の紙幣ＢＬが収容されているか否かを認識することができる。さらに紙幣制御部１１は、各種処理の実行中においては、この紙幣検知信号を基に、例えば紙幣ＢＬが収容空間３２Ｓ内に投入されたか否か、或いは収容空間３２Ｓから紙幣ＢＬが取り出されたか否かを判断することができる。
【００４６】
さらにプール部３２は、中心軸を左右方向に向けた回動軸３２Ｒを介して筐体３０に取り付けられている。また筐体３０内には、紙幣制御部１１の制御に基づき回動軸３２Ｒに駆動力を伝達する回動機構（図示せず）が設けられている。
【００４７】
かかる構成により回動軸３２Ｒは、紙幣制御部１１の制御の下で、プール部３２を矢印Ｒ１方向又はその反対の矢印Ｒ２方向へ約９０度の範囲で回動させることができる。これによりプール部３２は、図３に実線で示したように底面をほぼ水平とした状態（以下これを入出ポジションと呼ぶ）と、破線で示すように底面をほぼ垂直とした状態（以下これを分離ポジションと呼ぶ）との間を遷移することができる。
【００４８】
収容空間３２Ｓ内には、前後方向に薄い板状の仕切板３３が設けられている。この仕切板３３は、紙幣制御部１１（図２）の制御に基づき、図示しない仕切板駆動部により前後方向に移動される。またプール部３２の後方下側には、収容空間３２Ｓ内に収容された紙幣ＢＬを１枚ずつに分離して繰り出し、搬送部１３に受け渡す分離部３４が設けられている。さらにプール部３２の後方上側には、搬送部１３から搬送されてくる紙幣ＢＬをプール部３２内へ順次放出して集積させる放出部３５が設けられている。分離部３４及び放出部３５は、それぞれ複数のローラ等の組み合わせにより構成されており、いずれも紙幣制御部１１の制御に基づいて動作する。
【００４９】
またプール部３２の底面には、比較的大きな孔でなる複数の落下孔３２Ｈが穿設されている。この落下孔３２Ｈは、プール部３２の収容空間３２Ｓ内に紙幣ＢＬ以外の物、例えば硬貨やクリップのような物（以下これを異物ＦＢと呼ぶ）が誤って投入された場合、この異物ＦＢを下方へ落下させる一方、紙幣ＢＬを落下させずに収容空間３２Ｓ内に止める。
【００５０】
プール部３２の下方には、異物排出部３６が設けられている。異物排出部３６は、図４に正面図を示すように、２個のプーリ４１及び４２並びに両者の周囲を取り巻くように掛け渡された異物排出ベルト４３を中心に構成されている。
【００５１】
プーリ４１は、中心軸を前後方向に向けた円柱状に構成されており、プール部３２の下方における右側に配置されている。プーリ４１の周側面には、周方向に沿ってその一部分が周期的に切削されることにより歯車状に形成された滑り止め部（図示せず）が設けられている。
【００５２】
またプーリ４１の中心には、モータ４４の出力軸４４Ｓが挿通されている。モータ４４は、筐体３０に取り付けられており、紙幣制御部１１（図２）の制御に基づき、出力軸４４Ｓ及びこれに挿通されたプーリ４１を図４の時計方向又は反時計方向に回転させる。
【００５３】
プーリ４２は、プーリ４１と同様に中心軸を前後方向に向けた円柱状に構成されており、プール部３２の下方における左側に配置されている。プーリ４２の中心には、中心軸を前後方向に向けた細長い円柱状でなる回転軸４５が挿通されている。この回転軸４５は、図示しない軸受により、筐体３０に対し回転可能に支持されている。
【００５４】
異物排出ベルト４３は、長手方向の両端が接続されて環状に形成されており、プーリ４１及び４２の周囲を取り巻くように掛け回されている。また異物排出ベルト４３における前後方向の幅は、プール部３２に穿設された落下孔３２Ｈよりも広くなっている。このため落下孔３２Ｈから落下してきた異物ＦＢは、異物排出ベルト４３の上面に載置される。
【００５５】
異物排出ベルト４３は、モータ４４によりプーリ４１が回転されると、当該プーリ４１との摩擦により、その上面を右方向又は左方向へ向けて走行させる。このとき異物排出ベルト４３は、その上面に異物ＦＢが載置されていると、この異物ＦＢを上面の走行方向へ搬送することになる。
【００５６】
説明の都合上、以下では右方向を排出方向Ｔ１とも呼び、左方向を反対方向Ｔ２とも呼ぶ。また以下では、異物排出ベルト４３の上面部分に着目し、当該上面部分の進行方向を当該異物排出ベルト４３の走行方向と呼ぶ。さらに以下では、異物排出ベルト４３を排出方向Ｔ１へ走行させるようにモータ４４を回転させる際の回転方向を排出回転方向と呼び、その反対方向を反対回転方向と呼ぶ。
【００５７】
異物排出ベルト４３の裏面には、プーリ４１の周側面に形成された滑り止め部と対応するように、内面における長手方向に沿った所定位置に、周期的に内側へ突出したラック状ないし内歯車状の係合部（図示せず）が形成されている。
【００５８】
このため異物排出ベルト４３は、プーリ４１に対して滑ること無く、モータ４４からの駆動力が伝達される。その一方で、異物排出ベルト４３が他の部品に引っかかる等の理由により走行できない場合、プーリ４１は当該異物排出ベルト４３によりその回転が抑制され、モータ４４の出力軸４４Ｓに駆動力が印加されたときにも回転できなくなる。
【００５９】
プーリ４２の上方には、異物ガイド４６が設けられている。異物ガイド４６は、その上面に右側が低くなるような傾斜面４６Ｓが形成されている。傾斜面４６Ｓの右端は、異物排出ベルト４３の上面に極めて近接しており、当該異物排出ベルト４３との隙間に異物ＦＢを進入させないようになっている。
【００６０】
プーリ４１の上方には、筐体３０の一部分により堰止部４７が構成されている。堰止部４７は、右側へ進むに連れて低くなるような傾斜面となっており、異物排出ベルト４３の上面との間に比較的狭い隙間Ｇを形成している。この隙間Ｇは、例えば硬貨１枚分よりも広い程度の距離となっている。
【００６１】
堰止部４７は、異物排出ベルト４３が排出方向Ｔ１に向けて走行している場合、当該異物排出ベルト４３の上面に載置された異物ＦＢのうち、隙間Ｇよりも高く積み上げられた部分を堰き止めて左側へ崩す。これにより堰止部４７は、異物排出ベルト４３の上面に複数の異物ＦＢが重なるように載置された場合に、これらの異物ＦＢを隙間Ｇ以下の高さとなるように少量ずつに分けて搬送させることができる。
【００６２】
プーリ４１の右側には、異物を案内する異物案内部４８が設けられている。異物案内部４８は、当該プーリ４１の近傍から筐体２の異物排出口２Ｅ（図１）までを滑らかな傾斜面により繋いでおり、異物排出ベルト４３の右端から落下した異物ＦＢを、重力の作用により傾斜面上で滑降させ、当該異物排出口２Ｅへ導く。
【００６３】
また異物案内部４８の途中には、排出検知部４９が設けられている。排出検知部４９は、所定の検知光Ｌ２を発光する発光部４９Ａと、この検知光Ｌ２を受光する受光部４９Ｂとにより構成されている。また発光部４９Ａ及び受光部４９Ｂは、異物案内部４８の傾斜面上を滑降する異物ＦＢにより検知光Ｌ２が遮光されるよう、その取付位置や取付方向等が調整されている。
【００６４】
受光部４９Ｂは、検知光Ｌ２の受光結果に応じた排出検知信号を生成し、これを紙幣制御部１１へ供給する。紙幣制御部１１は、この排出検知信号を基に、異物ＦＢが異物案内部４８へ排出されたか否かを認識することができる。
【００６５】
かかる構成に加えて、プーリ４１及びその近傍には、図５（Ａ）及び（Ｂ）に示すように、当該プーリ４１の回転を検知する回転検知部５０が設けられている。回転検知部５０は、ディテクタ５１及びセンサユニット５２により構成されている。
【００６６】
ディテクタ５１は、扇形の薄板状に構成されており、光透過性が無い材料、すなわち光を遮断する性質を有する材料により構成されている。またディテクタ５１は、プーリ４１の前側面に対し、モータ４４の出力軸４４Ｓから見てプーリ４１の外周面よりも外方に突出するように取り付けられている。
【００６７】
このためディテクタ５１は、プーリ４１の回転に伴い、すなわち異物排出ベルト４３の走行に伴い、出力軸４４Ｓを中心として回転する。またディテクタ５１は、異物排出ベルト４３が走行せずプーリ４１が停止しているときには、当該プーリ４１と共に停止することになる。
【００６８】
センサユニット５２は、上方向から見て左側を開いた略Ｕ字状に形成されている。センサユニット５２の後側部分には、前方向へ向けて所定の検知光Ｌ３を発光する発光素子５２Ａが組み込まれている。またセンサユニット５２の前側部分には、後方から進行してくる検知光Ｌ３を受光する受光素子５２Ｂが組み込まれている。受光素子５２Ｂは、検知光Ｌ３の受光結果を基に回転検知信号を生成し、これを紙幣制御部１１へ通知する。
【００６９】
この回転検知信号は、例えば受光素子５２Ｂにより検知光Ｌ２を受光したときにはハイレベルとなり、受光しなかったときにはローレベルとなる。すなわち受光素子５２Ｂは、プーリ４１の回転によりディテクタ５１が発光素子５２Ａ及び受光素子５２Ｂの間に位置して検知光Ｌ３を遮断しているか否かに応じて、回転検知信号の信号レベルを変化させることになる。
【００７０】
このため紙幣制御部１１は、回転検知信号がハイレベル及びローレベルに交互に変化している場合には、プーリ４１が回転しており異物排出ベルト４３が走行していると判断することができる。また紙幣制御部１１は、回転検知信号の信号レベルがハイレベル又はローレベルのまま変化しない場合には、プーリ４１が回転しておらず異物排出ベルト４３が走行していないと判断することができる。
【００７１】
さらに回転検知部５０では、プーリ４１が１回転する間に、ディテクタ５１が検知光Ｌ３を１回だけ遮断する。このため回転検知信号には、プーリ４１が１回転する間に、ハイレベルからローレベルへの立ち下がり及びローレベルからハイレベルへの立ち上がりがいずれも１回のみ出現する。このため紙幣制御部１１は、回転検知信号に出現する立ち上がり又は立ち下がりの回数を計数することにより、プーリ４１の回転数を認識することができる。
【００７２】
ここで、プーリ４１の外周の長さについては、容易に計測することができる。そこで紙幣制御部１１は、プーリ４１の外周の長さを予め記憶しておき、これをプーリ４１の回転数に乗じることにより、異物排出ベルト４３の走行距離を算出することができる。
【００７３】
また、異物排出ベルト４３の走行方向に関する１周の長さについても、容易に計測できる。そこで紙幣制御部１１は、この１周の長さを予め記憶しておき、異物排出ベルト４３の走行距離を１周の長さで除算することにより、当該異物排出ベルト４３の周回数を算出することもできる。
【００７４】
このように入出金部１２の下方に配置された異物排出部３６には、プーリ４１の回転数を検出する回転検知部５０が設けられている。また紙幣制御部１１は、この回転検知部５０から供給される回転検知信号を基に、プーリ４１の回転状態及び回転数並びに異物排出ベルト４３の走行状態及び周回数を認識するようになっている。
【００７５】
［１−３．入金処理及び異物排出処理］
次に、紙幣入出金機１０における入金処理及びこれと並行して実行される異物排出処理について説明する。
［１−３−１．入金処理］
現金自動預払機１の主制御部９は、例えば操作表示部６に表示した所定のメニュー画面（図示せず）から顧客により「預金」項目が選択されると、紙幣入出金機１０の紙幣制御部１１に対し、上述した入金処理の開始を指示する。
【００７６】
これに応じて紙幣制御部１１は、入金処理の一環として、入出金部１２に対し、紙幣ＢＬを顧客に投入させると共にこの紙幣ＢＬを１枚ずつに分離して搬送部１３（図２）へ受け渡す紙幣投入処理を行う。具体的に紙幣制御部１１は、図６に示す紙幣投入処理手順ＲＴ１を開始し、ステップＳＰ１へ移る。
【００７７】
ステップＳＰ１において紙幣制御部１１は、シャッタ３１を開放することによりプール部３２の収容空間３２Ｓを外部と連通させ、次のステップＳＰ２へ移る。因みにこのときプール部３２は、図３に実線で示した入出ポジションとなっている。
【００７８】
ステップＳＰ２において紙幣制御部１１は、紙幣検知部３２Ｄ（図３）からの紙幣検知信号を基に、収容空間３２Ｓ内に紙幣ＢＬが投入されたか否かを判定する。ここで否定結果が得られると、紙幣制御部１１はこのステップＳＰ２を繰り返すことにより紙幣ＢＬが投入されるのを待ち受ける。一方、ステップＳＰ２において肯定結果が得られると、紙幣制御部１１は次のステップＳＰ３へ移る。
【００７９】
ステップＳＰ３において紙幣制御部１１は、図示しない各種センサ等の検知結果を基に、プール部３２内における紙幣の状態を確認し、次のステップＳＰ４へ移る。
【００８０】
ステップＳＰ４において紙幣制御部１１は、プール部３２内における紙幣ＢＬの状態が正常であるか否かを判定する。ここで否定結果が得られると、このことは例えばプール部３２に対し紙幣ＢＬが奥まで挿入されていない等、後述する分離処理を正常に行い得ない状態であることを表している。このとき紙幣制御部１１は、次のステップＳＰ５に移る。
【００８１】
ステップＳＰ５において紙幣制御部１１は、操作表示部６に所定のメッセージを表示する等して、顧客に対し紙幣ＢＬを一度取り出して再度正しく投入するよう促し、再びステップＳＰ２へ移る。
【００８２】
一方、ステップＳＰ４において肯定結果が得られると、このことはプール部３２に対し紙幣ＢＬが正しく投入されていることを表している。このとき紙幣制御部１１は、次のステップＳＰ６へ移る。
【００８３】
ステップＳＰ６において紙幣制御部１１は、この紙幣投入処理と並行して実行される異物排出処理（詳しくは後述する）が終了したか否かを判定する。ここで否定結果が得られると、紙幣制御部１１はこのステップＳＰ６を繰り返すことにより、この異物排出処理の終了を待ち受ける。一方、ここで肯定結果が得られると、このことは異物排出処理が終了しており、プール部３２内に投入されている紙幣ＢＬを１枚ずつに分離して搬送部１３に受け渡し得る状態であることを表している。このとき紙幣制御部１１は、次のステップＳＰ７へ移る。
【００８４】
ステップＳＰ７において紙幣制御部１１は、シャッタ３１を閉塞し、次のステップＳＰ８へ移る。ステップＳＰ８において紙幣制御部１１は、プール部３２を矢印Ｒ１方向（図３）へ回動させて分離ポジションとし、次のステップＳＰ９へ移る。
【００８５】
ステップＳＰ９において紙幣制御部１１は、分離部３４の各ローラを適宜回転させることにより、プール部３２内に収容されている紙幣ＢＬを１枚ずつに分離して搬送部１３（図２）に受け渡す分離処理を開始し、次のステップＳＰ１０へ移る。
【００８６】
ステップＳＰ１０において紙幣制御部１１は、紙幣検知部３２Ｄから得られる紙幣検知信号を基に、プール部３２内に紙幣ＢＬが残留していないか否か、すなわちプール部３２内の全ての紙幣ＢＬを分離し終えたか否かを判定する。ここで否定結果が得られると、紙幣制御部１１は、このステップＳＰ１０を繰り返すことにより、分離部３４による分離処理を継続させてプール部３２内の全ての紙幣ＢＬを分離し終えるまで待機する。
【００８７】
一方、ステップＳＰ１０において肯定結果が得られると、紙幣制御部１１は次のステップＳＰ１１へ移る。ステップＳＰ１１において紙幣制御部１１は、分離部３４の各ローラを停止させる等して分離処理を終了し、さらにステップＳＰ１２へ移って紙幣投入処理手順ＲＴ１を終了する。
【００８８】
［１−３−２．異物排出処理］
次に、異物排出処理について説明する。紙幣制御部１１は、上述した紙幣投入処理手順ＲＴ１（図６）を開始すると、これと並行して図７に示す異物排出処理手順ＲＴ２を開始し、ステップＳＰ２１へ移る。
【００８９】
ステップＳＰ２１において紙幣制御部１１は、プーリ４１の回転数を計数するための変数である回転カウント値を値「０」に初期化することにより、異物排出ベルト４３の走行距離を計測する準備を行い、次のステップＳＰ２２へ移る。因みに排出カウント値は、例えば回転検知部５０からの回転検知信号に立ち上がりが出現する度に値「１」が加算される。ステップＳＰ２２において紙幣制御部１１は、モータ４４（図３等）を排出回転方向に回転させることにより、異物排出ベルト４３を排出方向Ｔ１へ進行させ、次のステップＳＰ２３へ移る。
【００９０】
ステップＳＰ２３において紙幣制御部１１は、回転検知部５０（図５）から得られる回転検知信号を基に、立ち上がり又は立ち下がりの出現の有無等から、プーリ４１が正常に回転しているか否か、すなわち異物排出ベルト４３が正常に走行しているか否かを判定する。ここで否定結果が得られると、このことは例えば図８（Ａ）に示すように、異物ＦＢが隙間Ｇに詰まる等して異物排出ベルト４３が正常に走行していないことを表している。このとき紙幣制御部１１は、異物排出ベルト４３を正常に走行させるべく、次のステップＳＰ２４へ移る。
【００９１】
ステップＳＰ２４において紙幣制御部１１は、モータ４４を停止させ、次のステップＳＰ２５へ移る。ステップＳＰ２５において紙幣制御部１１は、回転カウント値を再度初期化することにより、新たに異物排出ベルト４３の走行距離を計測する準備を行い、次のステップＳＰ２６へ移る。ステップＳＰ２６において紙幣制御部１１は、モータ４４（図３等）を反対回転方向に回転させることにより異物排出ベルト４３を反対方向Ｔ２へ進行させ、次のステップＳＰ２７へ移る。
【００９２】
ステップＳＰ２７において紙幣制御部１１は、回転検知部５０（図５）から得られる回転検知信号を基に、異物排出ベルト４３の反対方向Ｔ２への走行距離が所定の反対走行距離Ｄ１以上であるか否かを判定する。因みに反対走行距離Ｄ１は、例えば異物排出ベルト４３の半周分に相当する距離に設定されている。ここで否定結果が得られると、このとき紙幣制御部１１は、このステップＳＰ２７を繰り返すことにより、異物排出ベルト４３の反対方向Ｔ２への走行距離が半周分以上となるのを待ち受ける。
【００９３】
一方、ステップＳＰ２７において肯定結果が得られると、このことは異物排出ベルト４３における反対方向Ｔ２への走行距離が半周分以上となり、当該異物排出ベルト４３を反対方向Ｔ２へ十分に走行させたことにより、図８（Ｂ）に示すように、異物ＦＢの詰まりが解消された可能性があることを表している。このとき紙幣制御部１１は次のステップＳＰ２８へ移る。ステップＳＰ２８において紙幣制御部１１は、モータ４４を停止させた後、回転カウント値を再度初期化してから異物排出ベルト４３を再度排出方向Ｔ１へ走行させるべく、再度ステップＳＰ２１へ移る。
【００９４】
一方、ステップＳＰ２３において肯定結果が得られると、このことは異物排出ベルト４３が正常に走行していることを表しており、このとき紙幣制御部１１は、次のステップＳＰ２９へ移る。ステップＳＰ２９において紙幣制御部１１は、排出検知部４９（図４）から得られる排出検知信号を基に、異物ＦＢが異物案内部４８（図４）へ排出されたか否かを判定する。ここで肯定結果が得られると、紙幣制御部１１は次のステップＳＰ３０へ移る。
【００９５】
ステップＳＰ３０において紙幣制御部１１は、ステップＳＰ２５と同様、回転カウント値を再度初期化することにより、新たに異物排出ベルト４３の走行距離を計測する準備を行い、再度ステップＳＰ２３へ移る。これにより紙幣制御部１１は、回転カウント値により表される異物排出ベルト４３の走行距離を、排出方向Ｔ１への走行を開始した時点からの走行距離では無く、異物ＦＢを最後に排出した時点からの走行距離を表す値とすることができる。
【００９６】
一方、ステップＳＰ２９において否定結果が得られると、紙幣制御部１１は、次のステップＳＰ３１へ移る。ステップＳＰ３１において紙幣制御部１１は、回転検知部５０（図５）から得られる回転検知信号を基に、回転カウント値が閾値以上であるか否か、具体的には異物排出ベルト４３の排出方向Ｔ１への継続した走行距離、すなわち最後の停止若しくは異物案内部４８への異物ＦＢの排出から継続して走行した距離が、所定の継続走行距離Ｄ２以上であるか否かを判定する。因みに継続走行距離Ｄ２は、例えば異物排出ベルト４３の一周分に相当する距離に設定されている。
【００９７】
ここで否定結果が得られると、このことは異物排出ベルト４３が停止も異物案内部４８へ異物ＦＢを排出することも無く継続して走行した距離が比較的短く、当該異物排出ベルト４３上に異物ＦＢが残留している可能性が高いことを表している。このとき紙幣制御部１１は、異物排出ベルト４３を引き続き排出方向Ｔ１へ走行させるべく、再度ステップＳＰ２３へ戻る。
【００９８】
一方、ステップＳＰ３１において肯定結果が得られると、このことは異物排出ベルト４３が停止も異物案内部４８へ異物ＦＢを排出することも無く走行した距離が十分に長意ことを表している。このことは、仮に異物排出ベルト４３の上面における左端付近に異物ＦＢが載置されていたとしても、既に右端まで搬送して異物案内部４８へ排出できたと推定されること、換言すれば、異物排出ベルト４３上に異物ＦＢが残留している可能性が低いことを表している。このとき紙幣制御部１１は、次のステップＳＰ３２へ移る。
【００９９】
ステップＳＰ３２において紙幣制御部１１は、モータ４４を停止させることにより異物排出ベルト４３の走行を停止させ、次のステップＳＰ３３へ移って異物排出処理手順ＲＴ２を終了する。因みに紙幣制御部１１は、このとき紙幣投入処理手順ＲＴ１（図６）のステップＳＰ６における待機処理を終了し、次のステップＳＰ７へ処理を移すことになる。
【０１００】
［１−４．動作及び効果］
以上の構成において、第１の実施の形態による紙幣入出金機１０の入出金部１２は、異物排出部３６に回転検知部５０を設け、プーリ４１が回転しているか否か、及びその回転数を検知することにより、異物排出ベルト４３が正常に走行しているか否か、及びその走行距離を認識するようにした。
【０１０１】
また紙幣制御部１１は、入金処理と並行して異物排出処理を実行し、回転検知部５０による回転検知結果を基に異物排出ベルト４３の走行を制御するようにした。具体的に紙幣制御部１１は、モータ４４を回転させるよう制御しているにも拘わらず異物排出ベルト４３が走行していない場合のみ反対方向Ｔ２へ一時的に走行させるようにし、また最後に異物ＦＢが排出されてから異物排出ベルト４３が排出方向Ｔ１へ継続走行距離Ｄ２以上の距離を走行した時点でその走行を停止させるようにした。
【０１０２】
これにより紙幣制御部１１は、異物排出ベルト４３の実際の走行状態を認識した上で、当該異物排出ベルト４３を異物ＦＢの確実な排除に必要な最小限の距離だけ走行させることができ、その完了までの時間を最小限に抑えることができる。これを換言すれば、紙幣制御部１１は、異物排出処理の効率を格段に高めることができる。この結果、現金自動預払機１は、入金処理において顧客を待たせる時間を従来よりも短縮することができる。
【０１０３】
特に異物排出部３６は、最終的に走行状態を検知したい異物排出ベルト４３では無く、当該異物排出ベルト４３の走行と直接的に対応して回転するプーリ４１の回転状態を回転検知部５０により検知するようにした。また回転検知部５０としては、プーリ４１に取り付ける扇形の板状部材であるディテクタ５１と、いわゆる遮光センサであるセンサユニット５２とにより構成した。このため異物排出部３６は、従来の異物排出部３３６（図１３及び図１４）に対し極めて簡素な部品を僅かに追加するだけで、異物排出ベルト４３の走行状態を精度良く検知することができる。
【０１０４】
また紙幣制御部１１は、異物排出処理手順ＲＴ２（図８）において、異物排出ベルト４３を排出方向Ｔ１に向けて一周分に相当する継続走行距離Ｄ２以上に走行させるようにした。これにより紙幣制御部１１は、従来の構成、例えば回転検知部５０を設けずに紙幣ＢＬの分離処理が終了するまで異物排出処理を実行する構成と比較して、紙幣ＢＬの枚数に左右されること無く、必要最小限の時間をかけるだけで、異物排出ベルト４３上の異物ＦＢを確実に排出することができる。
【０１０５】
また紙幣制御部１１は、異物排出処理手順ＲＴ２（図８）において、異物排出ベルト４３が正常に走行していなかった場合にのみ、反対方向Ｔ２へ一時的に走行させるようにした。すなわち紙幣制御部１１は、異物排出ベルト４３が正常に走行している場合には、反対方向Ｔ２へ走行させることが無い。このため紙幣制御部１１は、従来のように一様に異物排出ベルト４３を反対方向Ｔ２に走行させる場合と比較して、異物ＦＢが投入されない多くの場合において時間を短縮することができる。
【０１０６】
さらに紙幣制御部１１は、異物排出処理手順ＲＴ２（図８）において、異物排出ベルト４３を反対方向Ｔ２へ走行させる際の走行距離を半周分に相当する反対走行距離Ｄ１とした。このため異物排出部３６では、異物排出ベルト４３の上面における右端において、複数の異物ＦＢが重なることにより堰止部４７と当該異物排出ベルト４３との間に挟まっていたとしても、この異物ＦＢを右端近傍まで搬送して異物ガイド４６に乗り上げさせることができる。これにより異物排出部３６では、異物ＦＢの重なりを崩すことを期待でき、これに伴って当該異物ＦＢを異物案内部４８へ排出できるようになる。
【０１０７】
以上の構成によれば、第１の実施の形態による入出金部１２は、異物排出部３６に回転検知部５０を設けてプーリ４１の回転を検知し、その回転検知結果を基に紙幣制御部１１において異物排出ベルト４３が正常に走行しているか否か、及びその走行距離を認識する。また紙幣制御部１１は、異物排出処理において、回転検知部５０による回転検知結果を基に異物排出ベルト４３の走行を制御する。これにより紙幣制御部１１は、異物排出ベルト４３の実際の走行状態に応じて、当該異物排出ベルト４３を異物ＦＢの確実な排除に必要な最小限の距離だけ走行させることができ、且つ完了までに要する時間を最小限に抑えることができる。
【０１０８】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点が相違するものの、他の部分については同様に構成されている。
【０１０９】
紙幣入出金機１１０は、第１の実施の形態による紙幣入出金機１０と比較して、紙幣制御部１１及び入出金部１２に代わる紙幣制御部１１１及び入出金部１１２を有する点が相違するものの、他の部分については同様に構成されている。
【０１１０】
紙幣制御部１１１は、紙幣制御部１１と同様、図示しないＣＰＵを中心に構成されており、図示しないＲＯＭやフラッシュメモリ等から所定のプログラムを読み出して実行することにより、種々の処理を行う。また紙幣制御部１１１は、内部にＲＡＭ及びフラッシュメモリ等でなる記憶部を有しており、この記憶部に種々の情報を記憶させる。
【０１１１】
［２−１．入金部の構成］
入出金部１１２は、第１の実施の形態による入出金部１２と比較して、異物排出部３６に代わる異物排出部１３６を有する点が相違するものの、他の部分については同様に構成されている。この異物排出部１３６は、異物排出部３６と比較して、異物排出ベルト４３及び回転検知部５０に代わる異物排出ベルト１４３及び走行検知部１５０を有する点が相違するものの、他の部分については同様に構成されている。
【０１１２】
異物排出ベルト１４３は、図９（Ａ）、（Ｂ）及び（Ｃ）に示すように、第１の実施の形態による異物排出ベルト１４３の前側辺に、走行検知部１５０の一部を構成するディテクタ１５１が複数設けられている。因みに図９（Ａ）は正面図を表し、図９（Ｂ）は平面図を表し、図９（Ｃ）は右方向から見た側面図及び一部の断面図を表している。
【０１１３】
ディテクタ１５１は、小さな矩形状でなり、異物排出ベルト１４３の前側辺に、所定間隔ごとに前方へ突出するように設けられている。具体的にディテクタ１５１は、例えば異物排出ベルト１４３がプーリ４１の周側面に沿って半周する区間に４〜５個が設けられている。またディテクタ１５１は、第１の実施の形態におけるディテクタ５１と同様、光透過性の無い材料、すなわち光を遮断する性質を有する材料により構成されている。
【０１１４】
走行検知部１５０は、異物排出ベルト１４３に設けられたディテクタ１５１及びセンサユニット１５２により構成されている。センサユニット１５２は、第１の実施の形態におけるセンサユニット５２が、筐体３０に対し異なる取付方向により取り付けられたような構成となっている。
【０１１５】
すなわちセンサユニット１５２は、後側を開放したＵ字状に構成されており、上側に検知光Ｌ３を発光する発光素子１５２Ａが組み込まれ、下側にこの検知光Ｌ３を受光して走行検知信号を生成する受光素子１５２Ｂが組み込まれている。この走行検知信号は、第１の実施の形態における回転検知信号と同様、検知光Ｌ３がディテクタ１５１により遮断されているか否かに応じて信号レベルが変化する。
【０１１６】
紙幣制御部１１１は、走行検知信号の信号レベルが変化しているか否かに応じて、異物排出ベルト１４３が走行しているか否かを判断する。
【０１１７】
また紙幣制御部１１１は、隣接するディテクタ１５１同士の周期（距離）を予め記憶している。このため紙幣制御部１１１は、走行検知信号に出現する立ち上がり又は立ち下がりの回数を計数し、この回数に周期を乗じることにより、異物排出ベルト１４３の走行距離を算出することができる。
【０１１８】
さらに紙幣制御部１１１は、第１の実施の形態と同様、異物排出ベルト１４３の１周の長さを予め記憶しており、算出した異物排出ベルト１４３の走行距離を１周の長さで除算することにより、当該異物排出ベルト１４３の周回数を算出することもできる。
【０１１９】
［２−２．紙幣投入処理及び異物排出処理］
ところで紙幣制御部１１１は、入金処理の一環として入出金部１１２において実行される紙幣投入処理については、第１の実施の形態と同様に紙幣投入処理手順ＲＴ１（図６）に従う。その一方で紙幣制御部１１１は、これと並行して実行される異物排出処理については、図７と対応する図１０に示す異物排出処理手順ＲＴ３に従う。
【０１２０】
紙幣制御部１１１は、紙幣投入処理手順ＲＴ１（図６）を開始すると、これと並行して図１０に示す異物排出処理手順ＲＴ３を開始し、ステップＳＰ４１へ移る。
【０１２１】
ステップＳＰ４１において紙幣制御部１１１は、異物排出ベルト１４３の走行距離を計数するための２個の変数である走行カウント値及び排出後カウント値をそれぞれ値「０」に初期化することにより、異物排出ベルト１４３の走行距離を計測する準備を行い、次のステップＳＰ４２へ移る。
【０１２２】
因みに走行カウント値は、第１の実施の形態における回転カウント値に相当するものであり、異物排出ベルト１４３が最後に停止してからの走行距離を計数する目的で使用される。また排出後カウント値は、最後に異物ＦＢを異物案内部４８（図４）へ排出してからの異物排出ベルト１４３の走行距離を計数する目的で使用される。これらの走行カウント値及び排出後カウント値は、いずれも走行検知部１５０からの走行検知信号により１個のディテクタ１５１の通過が検知される度に、値「１」が加算される。
【０１２３】
紙幣制御部１１１は、ステップＳＰ４２〜ステップＳＰ４４において、異物排出処理手順ＲＴ２（図７）のステップＳＰ２１〜ＳＰ２４とそれぞれ同様の処理を実行し、次のステップＳＰ４５へ移る。
【０１２４】
ステップＳＰ４５において紙幣制御部１１１は、サブルーチンとして図１１に示す振動処理手順ＳＲＴ４を開始し、ステップＳＰ６１へ移る。ステップＳＰ６１において紙幣制御部１１１は、この振動処理における振動回数を計数するための変数である振動カウント値を値「０」に初期化し、次のステップＳＰ６２へ移る。
【０１２５】
ステップＳＰ６２において紙幣制御部１１１は、モータ４４（図３等）を反対回転方向に回転させることにより、異物排出ベルト４３を反対方向Ｔ２へ進行させ、次のステップＳＰ６３へ移る。ステップＳＰ６３において紙幣制御部１１１は、所定の振動走行時間だけ待機し、次のステップＳＰ６４へ移る。因みに振動走行時間は、例えば０．５秒のように極めて短い時間に設定されている。ステップＳＰ６４において紙幣制御部１１１は、モータ４４を停止させ、次のステップＳＰ６５へ移る。
【０１２６】
ステップＳＰ６５において紙幣制御部１１１は、モータ４４を排出回転方向に回転させることにより、異物排出ベルト４３を排出方向Ｔ１へ進行させ、次のステップＳＰ６６へ移る。ステップＳＰ６６において紙幣制御部１１１は、振動走行時間だけ待機し、次のステップＳＰ６７へ移る。ステップＳＰ６７において紙幣制御部１１１は、モータ４４を停止させ、次のステップＳＰ６８へ移る。
【０１２７】
すなわち紙幣制御部１１１は、ステップＳＰ６２〜ＳＰ６７の処理により、異物排出ベルト４３を僅かな距離だけ、あたかも当該異物排出ベルト４３上に載置されている異物ＦＢを振動させるかのように１往復させる。
【０１２８】
ステップＳＰ６８において紙幣制御部１１１は、振動カウント値に値「１」を加算し、次のステップＳＰ６９へ移る。ステップＳＰ６９において紙幣制御部１１１は、振動カウント値が所定の閾値以上であるか否かを判定する。因みに閾値は、例えば値「１０」に設定されている。ここで否定結果が得られると、このことは異物排出ベルト４３の微少な往復走行の回数、すなわち振動の回数が比較的少ないことを表している。このとき紙幣制御部１１１は、ステップＳＰ６２へ戻って異物排出ベルト４３の微少な往復走行を繰り返す。
【０１２９】
一方、ステップＳＰ６９において肯定結果が得られると、このことは異物排出ベルト４３の微少な往復走行の回数、すなわち振動の回数が１０回以上となり、異物ＦＢの重なりを十分に崩すことができたと推定されることを表している。このとき紙幣制御部１１１は、次のステップＳＰ７０へ移って振動処理手順ＳＲＴ４を終了し、元の異物排出処理手順ＲＴ３（図９）におけるステップＳＰ４５へ戻った上で、その次のステップＳＰ４６へ移る。
【０１３０】
このように紙幣制御部１１１は、異物排出ベルト４３が正常に走行していなかった場合に振動処理を行うことにより、異物ＦＢを崩して当該異物排出ベルト４３の正常な走行を図るようになされている。
【０１３１】
続いて紙幣制御部１１１は、ステップＳＰ４６〜ＳＰ５０において、異物排出処理手順ＲＴ２（図７）のステップＳＰ２５〜ＳＰ２９における回転カウント値を走行カウント値に置き換えた処理を行い、ステップＳＰ５０において肯定結果が得られた場合、ステップＳＰ５１へ移る。
【０１３２】
ステップＳＰ５１において紙幣制御部１１１は、走行カウント値はそのまま変化させること無く、排出後カウント値を初期化し、再度ステップＳＰ４３へ戻る。これにより紙幣制御部１１１は、異物案内部４８（図４）を最後に異物ＦＢが通過してからの異物排出ベルト１４３の走行距離を正しく計測しながら、一連の処理を繰り返すことができる。
【０１３３】
一方、ステップＳＰ５０において否定結果が得られると、紙幣制御部１１１はステップＳＰ５２へ移る。ステップＳＰ５２において紙幣制御部１１１は、走行カウント値を基に、異物排出ベルト１４３の排出方向Ｔ１への継続した走行距離、すなわち最後に停止してから継続して走行した距離が継続走行距離Ｄ２（異物排出ベルト１４３の一周分）以上であるか否かを判定する。
【０１３４】
ここで否定結果が得られると、このことは異物排出ベルト４３が排出方向Ｔ１へ継続して走行した距離が比較的短く、当該異物排出ベルト４３上に異物ＦＢが残留している可能性が高いことを表している。このとき紙幣制御部１１１は、異物排出ベルト１４３を引き続き排出方向Ｔ１へ走行させるべく、再度ステップＳＰ４３へ戻る。
【０１３５】
一方、ステップＳＰ５２において肯定結果が得られると、このとき紙幣制御部１１１は次のステップＳＰ５３へ移る。ステップＳＰ５３において紙幣制御部１１１は、異物排出ベルト１４３が異物案内部４８へ異物ＦＢを排出すること無く継続して走行した距離が所定の排出後走行距離Ｄ３以上であるか否かを判定する。因みに排出後走行距離Ｄ３は、例えば異物排出ベルト１４３の半周分に設定されており、継続走行距離Ｄ２よりも小さい値となっている。
【０１３６】
ここで否定結果が得られると、このことは異物排出ベルト１４３が異物案内部４８へ最後に異物ＦＢを排出してから排出方向Ｔ１へ走行した距離が比較的短く、当該異物排出ベルト１４３上に異物ＦＢが残留している可能性が高いことを表している。このとき紙幣制御部１１１は、異物排出ベルト１４３を引き続き排出方向Ｔ１へ走行させるべく、再度ステップＳＰ４３へ戻る。
【０１３７】
一方、ステップＳＰ５３において肯定結果が得られると、このことは異物排出ベルト１４３が停止も異物案内部４８へ異物ＦＢを排出することも無く走行した距離が十分に長意ことを表している。このことは、仮に異物排出ベルト１４３の上面における左端付近に異物ＦＢが載置されていたとしても、既に右端まで搬送して異物案内部４８へ排出できたと推定されること、換言すれば、異物排出ベルト１４３上に異物ＦＢが残留している可能性が低いことを表している。このとき紙幣制御部１１１は、次のステップＳＰ５４へ移る。
【０１３８】
ステップＳＰ５４において紙幣制御部１１１は、モータ４４を停止させることにより異物排出ベルト１４３の走行を停止させ、次のステップＳＰ５５へ移って異物排出処理手順ＲＴ３を終了する。
【０１３９】
［２−３．動作及び効果］
以上の構成において、第２の実施の形態による紙幣入出金機１１０の入出金部１１２は、異物排出部１３６に走行検知部１５０を設け、異物排出ベルト１４３が正常に走行しているか否か、及びその走行距離を認識するようにした。
【０１４０】
また紙幣制御部１１１は、第１の実施の形態と同様、入金処理と並行して異物排出処理を実行し、走行検知部１５０による回転検知結果を基に異物排出ベルト１４３の走行を制御するようにした。これにより紙幣制御部１１１は、異物排出ベルト１４３の実際の走行状態を認識した上で、当該異物排出ベルト１４３を異物ＦＢの確実な排除に必要な最小限の距離だけ走行させることができ、その完了までの時間を最小限に抑えることができる。
【０１４１】
これに加えて紙幣制御部１１１は、異物排出ベルト１４３が正常に走行していない場合には、当該異物排出ベルト１４３を微少に往復させる振動処理を行ってから、反対方向Ｔ２へ走行させるようにした。これにより異物排出部１３６は、図８（Ａ）に示したように異物ＦＢが隙間Ｇに詰まっていたとしても、これを積極的に崩すことができるので、その後の反対方向Ｔ２への走行との組み合わせにより、異物ＦＢの詰まり解消できる可能性を格段に高めることができる。
【０１４２】
また紙幣制御部１１１は、異物排出処理手順ＲＴ３（図１０）において、走行カウント値及び排出後カウント値といった２種類の変数を用いたことにより、異物排出ベルト１４３が最後に停止してからの走行距離とは別に、異物案内部４８（図４）を最後に異物ＦＢが通過してからの異物排出ベルト１４３の走行距離を計測するようにした。これと共に排出後走行距離Ｄ３については、継続走行距離Ｄ２よりも小さい値とした。
【０１４３】
このため紙幣制御部１１１は、例えば異物案内部４８（図４）を最後に異物ＦＢが通過してからの異物排出ベルト１４３の走行距離が一周未満であったとしても、当該走行距離が半周以上であり、且つ最後に停止してからの走行距離が一周以上であれば、異物排出処理を終了することができる。
【０１４４】
すなわち紙幣制御部１１１は、異物案内部４８（図４）を最後に異物ＦＢが通過してから異物排出ベルト１４３を走行させるべき距離と、最後に停止してから走行させるべき距離とを、それぞれ独立して最適な値を用いることができる。これにより紙幣制御部１１１は、これらの距離をいずれか一方に合わせた場合に生じ得る、時間の無駄な経過や異物ＦＢが残留する危険性を適切に排除することができ、さらに効率を高めることができる。
【０１４５】
さらに走行検知部１５０は、比較的小さなディテクタ１５１を比較的狭い間隔ごとに、具体的にはプーリ４１の周側面における半周分の区間に４〜５個の間隔で、異物排出ベルト１４３に取り付けるようにした。これにより走行検知部１５０は、例えばプーリ４１が一回転する間に走行検知信号の立ち上がり又は立ち下がりを８〜１０回検出することができるので、第１の実施の形態における回転検知部５０と比較して、異物排出ベルト１４３の走行距離や走行状態をきめ細かく検知することができる。
【０１４６】
その他の点においても、第２の実施の形態による入出金部１１２及び紙幣制御部１１１は、第１の実施の形態による入出金部１２及び紙幣制御部１１と同様の作用効果を奏し得る。
【０１４７】
以上の構成によれば、第２の実施の形態による入出金部１１２は、異物排出部１３６に走行検知部１５０を設け、異物排出ベルト１４３が正常に走行しているか否か、及びその走行距離を認識する。また紙幣制御部１１１は、異物排出処理において、走行検知部１５０による走行検知結果を基に異物排出ベルト４３の走行を制御し、正常に走行していない場合には、振動処理を行ってから反対方向Ｔ２へ走行させる。これにより紙幣制御部１１１は、異物ＦＢの詰まりが発生した場合にはこれを高い確度で解消できると共に、異物排出ベルト１４３の実際の走行状態に応じて、当該異物排出ベルト１４３を異物ＦＢの確実な排除に必要な最小限の距離だけ走行させることができ、且つ完了までに要する時間を最小限に抑えることができる。
【０１４８】
［３．他の実施の形態］
なお上述した第１の実施の形態においては、回転検知部５０においてプーリ４１に取り付けたディテクタ５１によりセンサユニット５２の検知光Ｌ３が遮光されたか否かを検知し、回転検知信号の変化を基に紙幣制御部１１においてプーリ４１の回転状態及びその回転数を検知する場合について述べた。しかしながら本発明はこれに限らず、種々の手法によりプーリ４１の回転状態及びその回転数を検知するようにしても良い。
【０１４９】
具体的には、例えば図１２（Ａ）及び（Ｂ）に示すように、プーリ２４１の周側面に形成されたディテクタ２５１とセンサユニット２５２との組み合わせによる回転検知部２５０を構成しても良い。ディテクタ２５１は、プーリ２４１の周側面に、検知光Ｌ３を反射する反射部２５１Ａ及び反射しない非反射部２５１Ｂが周方向に沿って交互に配置された構成となっている。センサユニット２５２は、発光素子２５２Ａからディテクタ２５１へ向けて検知光Ｌ３を発光し、当該検知光Ｌ３が反射部２５１Ａにおいて反射された場合、これを受光素子２５２Ｂにより受光する。受光素子２５２Ｂは、第１の実施の形態による受光素子５２Ｂと同様、受光結果に基づき回転検知信号を生成する。かかる構成により回転検知部２５０は、回転検知部５０と同様、プーリ２４１の回転状態を表す回転検知信号を生成することができる。
【０１５０】
またディテクタ５１の数については、１枚に限らず、２枚以上としても良い。これにより紙幣制御部１１は、プーリ４１の回転状態をきめ細かく検知することができる。例えば紙幣制御部１１は、ディテクタ５１の数をＮとし、その大きさや間隔を適切に定めた上で回転検知信号の立ち上がりのみを利用すれば、プーリ４１の回転状態を（１／Ｎ）回転ごと検知でき、さらには立ち上がり及び立ち下がりの双方を利用すれば、（１／２Ｎ）回転ごとに検知できる。
【０１５１】
さらにディテクタ５１の取付対象としては、プーリ４１に限らず、例えばプーリ４２やモータ４４の出力軸４４Ｓ等、異物排出ベルト４３の走行に伴って回転する種々の部品とすることができる。またモータ４４とプーリ４１との間にギヤを介在させる場合には、このギヤにディテクタ５１を取り付けるようにしても良い。
【０１５２】
また上述した第２の実施の形態においては、走行検知部１５０において異物排出ベルト１４３の前側辺に取り付けたディテクタ１５１によりセンサユニット１５２の検知光Ｌ３が遮光されたか否かを検知し、走行検知信号の変化を基に紙幣制御部１１１において異物排出ベルト１４３の走行状態及びその走行距離を検知する場合について述べた。しかしながら本発明はこれに限らず、種々の手法により異物排出ベルト１４３の走行状態及びその走行距離を検知するようにしても良い。
【０１５３】
具体的には、例えば異物排出ベルト４３の表面や裏面にディテクタ２５１と同様のディテクタを設け、走行方向に沿って反射部２５１Ａ及び非反射部２５１Ｂを交互に配置して、センサユニット２５２により検知光Ｌ３をこのディテクタに照射するようにしても良い。
【０１５４】
さらに上述した第１の実施の形態においては、センサユニット５２により検知光Ｌ３を発光及び受光するようにして、ディテクタ５１により検知光Ｌ３が遮断されたか否かを当該センサユニット５２により検知する場合について述べた。しかしながら本発明はこれに限らず、例えばセンサユニットにより超音波を発信及び受信するようにして、ディテクタ５１によりこの超音波が遮断されたか否かを当該センサユニットにより検知するようにする等、種々の物理現象を利用してディテクタ５１の有無を検知するようにしても良い。紙幣ＢＬや異物ＦＢを検知する他の各検知部についても同様であり、また第２の実施の形態についても同様である。
【０１５５】
さらに上述した第１の実施の形態においては、異物排出ベルト４３における長手方向の両端を接続して環状に形成する場合について述べた。しかしながら本発明はこれに限らず、例えば異物排出ベルト４３の両端をプーリ４１及び４２の周側面に固定すると共にある程度の長さに渡ってそれぞれ巻き付けておき、各プーリを回転させて異物排出ベルト４３の巻付量を変化させることにより、排出方向Ｔ１又は反対方向Ｔ２へ走行させるようにしても良い。第２の実施の形態についても同様である。
【０１５６】
さらに上述した第１の実施の形態においては、異物排出ベルト４３の上面をほぼ水平とする場合について述べた。しかしながら本発明はこれに限らず、例えばプーリ４２をプーリ４１よりも高い位置に配置し、異物排出ベルト４３の上面を異物案内部４８側（すなわち右側）が低くなるよう傾斜させても良い。第２の実施の形態についても同様である。
【０１５７】
さらに上述した第１の実施の形態においては、２個のプーリ４１及び４２の周囲に異物排出ベルト４３を掛け回す場合について述べた。しかしながら本発明はこれに限らず、例えば３個以上のプーリを配置し、その周囲に異物排出ベルト４３を掛け回すようにしても良い。この場合、要はプール部３２の落下孔３２Ｈから落下してくる異物ＦＢを異物排出ベルト４３の上面により受け止めることができ、且つ当該異物排出ベルト４３の走行により異物ＦＢを異物案内部４８へ搬送して排出することができれば良い。第２の実施の形態についても同様である。
【０１５８】
さらに上述した第１の実施の形態においては、異物排出部３６において排出検知部４９により異物ＦＢが排出されたか否かを検知し、異物排出処理手順ＲＴ２（図７）のステップＳＰ２９及びＳＰ３０において、異物ＦＢが排出された場合には回転カウント値を初期化するようにした場合について述べた。
【０１５９】
しかしながら本発明はこれに限らず、例えば異物排出部３６から排出検知部４９を省略し、異物ＦＢが排出されたか否かを検知しないようにしても良い。この場合、異物排出処理手順ＲＴ２のステップＳＰ２９及びＳＰ３０を省略し、異物排出ベルト４３における最後の停止以降の走行距離が継続走行距離Ｄ２以上となった時点で異物排出処理を終了すれば良い。第２の実施の形態についても同様である。
【０１６０】
さらに上述した第１の実施の形態においては、異物排出処理手順ＲＴ２（図７）のステップＳＰ２３において、異物排出ベルト４３が正常に走行しているか否かを判定し、正常でない場合には当該異物排出ベルト４３を一時的に反対方向Ｔ２へ走行させるようにした場合について述べた。
【０１６１】
しかしながら本発明はこれに限らず、例えば異物排出処理手順ＲＴ２においてステップＳＰ２３〜ＳＰ２８を省略し、排出検知部４９により異物ＦＢが排出されてから異物排出ベルト４３を継続走行距離Ｄ２だけ走行させた時点で異物排出処理を終了するようにしても良い。第２の実施の形態についても同様である。
【０１６２】
さらに上述した第１の実施の形態においては、入金処理において、シャッタ３１を開放したときに異物排出処理を開始するようにした場合について述べた。しかしながら本発明はこれに限らず、例えばプール部３２の紙幣検知部３２Ｄ（図３）により紙幣ＢＬ等がプール部３２内に投入されたことを検知したとき、或いは出金処理においてシャッタ３１を開放したとき等、様々な時点から異物排出処理を開始するようにしても良い。第２の実施の形態についても同様である。
【０１６３】
さらに上述した第１の実施の形態においては、紙幣投入処理手順ＲＴ１（図６）のステップＳＰ６〜ＳＰ９において、異物排出処理が終了してからシャッタ３１を閉塞して紙幣ＢＬの分離処理を開始するようにした場合について述べた。しかしながら本発明はこれに限らず、例えば異物排出処理を継続しながらシャッタ３１を閉塞して紙幣ＢＬの分離処理を開始するようにしても良い。第２の実施の形態についても同様である。
【０１６４】
さらに上述した第１の実施の形態においては、異物排出処理手順ＲＴ２（図７）においてステップＳＰ２７の閾値である反対走行距離Ｄ１を異物排出ベルト４３の半周分に相当する距離とし、ステップＳＰ３１の閾値である継続走行距離Ｄ２を一周分に相当する距離とした場合について述べた。しかしながら本発明はこれに限らず、例えば反対走行距離Ｄ１を異物排出ベルト４３の一周分に相当する距離とし、継続走行距離Ｄ２を半周分に相当する距離とする等、それぞれ種々の距離としても良い。
【０１６５】
例えば継続走行距離Ｄ２は、少なくとも異物排出ベルト４３の半周分以上であれば、異物排出ベルト４３の上面における異物案内部４８からの走行距離が最も長い左端部分に載置された異物ＦＢであっても、右端に到達させて当該異物案内部４８へ排出することができる。また反対走行距離Ｄ１も、少なくとも異物排出ベルト４３の半周分以上であれば、右端近傍の堰止部４７の位置において詰まっていた異物ＦＢを、左端近傍の異物ガイド４６に到達させることができる。第２の実施の形態についても同様であり、排出後走行距離Ｄ３については任意の値とすることができる。
【０１６６】
さらに上述した第２の実施の形態においては、振動処理手順ＳＲＴ４（図１１）の振動動作において、異物排出ベルト１４３を排出方向Ｔ１及び反対方向Ｔ２に振動走行時間ずつ走行させる場合について述べた。
【０１６７】
しかしながら本発明はこれに限らず、例えば走行カウント値を利用して異物排出ベルト１４３の各方向への走行距離を規定しても良い。また、走行距離若しくは走行時間については、任意の時間や距離（すなわち走行カウント値）としても良く、さらには排出方向Ｔ１及び反対方向Ｔ２で走行距離若しくは走行時間を相違させても良い。この場合、例えば排出方向Ｔ１への走行距離若しくは走行時間を「０」として、反対方向Ｔ２への走行及び停止を交互に繰り返すようにすることもできる。
【０１６８】
さらに上述した第１の実施の形態においては、紙幣入出金機１０を制御する紙幣制御部１１により紙幣投入処理手順ＲＴ１（図６）及び異物排出処理手順（図７）を実行するようにした場合について述べた。しかしながら本発明はこれに限らず、例えば入出金部１２に紙幣制御部１１と同様の機能を有する入出金制御部を設け、当該入出金制御部により紙幣投入処理手順ＲＴ１及び異物排出処理手順を実行するようにしても良い。第２の実施の形態についても同様である。
【０１６９】
さらに上述した第１の実施の形態においては、本発明を入出金部１２における紙幣ＢＬを投入するためのプール部３２の下方に配置する異物排出部３６に適用するようにした場合について述べた。しかしながら本発明はこれに限らず、種々の装置において本来取り扱いたい媒体を選別してそれ以外の異物ＦＢを落下させ、落下した異物ＦＢを排出する異物排出部に適用するようにしても良い。第２の実施の形態についても同様である。
【０１７０】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１７１】
さらに上述した第１の実施の形態においては、選別部としてのプール部３２及び落下孔３２Ｈと、ベルトとしての異物排出ベルト４３と、ベルト走行部としてのプーリ４１及び４２並びにモータ４４と、検知部としての回転検知部５０と、制御部としての紙幣制御部１１とによって異物排出装置としての入出金部１２を構成する場合について述べた。しかしながら本発明はこれに限らず、その他種々の構成でなる選別部と、ベルトと、ベルト走行部と、検知部と、制御部とによって異物排出装置を構成するようにしても良い。
【０１７２】
さらに上述した第１の実施の形態においては、投入口としての入出金口５と、操出部としての分離部３４と、選別部としてのプール部３２及び落下孔３２Ｈと、ベルトとしての異物排出ベルト４３と、ベルト走行部としてのプーリ４１及び４２並びにモータ４４と、検知部としての回転検知部５０と、制御部としての紙幣制御部１１とによって媒体取引装置としての現金自動預払機１を構成する場合について述べた。しかしながら本発明はこれに限らず、その他種々の構成でなる投入口と、操出部と、選別部と、ベルトと、ベルト走行部と、検知部と、制御部とによって媒体取引装置を構成するようにしても良い。
【産業上の利用可能性】
【０１７３】
本発明は、例えば入金取引において紙幣を投入させる入出金部を有する現金自動預払機でも利用できる。
【符号の説明】
【０１７４】
１、１０１……現金自動預払機、２……筐体、２Ｅ……異物排出口、５……入出金口、９……主制御部、１０、１１０……紙幣入出金機、１１、１１１……紙幣制御部、１２、１１２……入出金部、１３……搬送部、３１……シャッタ、３２……プール部、３２Ｄ……紙幣検知部、３２Ｈ……落下孔、３２Ｓ……収容空間、３４……分離部、３５……放出部、３６、１３６……異物排出部、４１、４２……プーリ、４３、１４３……異物排出ベルト、４４……モータ、４７……堰止部、４８……異物案内部、４９……排出検知部、５０……回転検知部、５１、１５１……ディテクタ、５２、１５２……センサユニット、１５０……走行検知部、ＢＬ……紙幣、ＦＢ……異物、Ｇ……隙間、Ｔ１……排出方向、Ｔ２……反対方向。
【図１】
2015036932.tif 000003
【図２】
2015036932.tif 000004
【図３】
2015036932.tif 000005
【図４】
2015036932.tif 000006
【図５】
2015036932.tif 000007
【図６】
2015036932.tif 000008
【図７】
2015036932.tif 000009
【図８】
2015036932.tif 000010
【図９】
2015036932.tif 000011
【図１０】
2015036932.tif 000012
【図１１】
2015036932.tif 000013
【図１２】
2015036932.tif 000014
【図１３】
2015036932.tif 000015
【図１４】
2015036932.tif 000016